(57)【要約】【課題】パソコンのような薄厚で衝撃に弱い製品の運搬或いは保管に際し、該製品を強固に保持し、更に、その運搬時や落下時の衝撃を緩和し或いは外部からの衝撃が製品に伝わることを防止し、且つ製品の収納作業をすばやく行うこと。【解決手段】衝撃緩和運搬容器は、紙片を折り曲げて製品を挟持する衝撃緩和運搬容器であって、立ち上がり支持材を兼ねる周辺部の側片、適宜本数の切断部が形成され該側片によって囲まれ該側片との境の折れ曲がり部を基端として可動自在とした製品押圧片及び該側片に貼着され該製品押圧片表面側全面を非貼着状態で被覆した可撓性フィルムより形成した一方の製品保持部材と、該製品保持部材と同様の構成を有する他方の製品保持部材と、を備え、一方の製品保持部材の可撓性フィルムと他方の製品保持部材の可撓性フィルムとを対向させたその間を製品配設部とした。【選択図】図１
2011184107.tif 000002
【特許請求の範囲】
【請求項１】
紙片を折り曲げて製品を挟持する衝撃緩和運搬容器であって、
立ち上がり支持材を兼ねる周辺部の側片、適宜本数の切断部が形成され該側片によって囲まれ該側片との境の折れ曲がり部を基端として可動自在とした製品押圧片及び該側片に貼着され該製品押圧片表面側全面を非貼着状態で被覆した可撓性フィルムより形成した一方の製品保持部材と、
該製品保持部材と同様の構成を有する他方の製品保持部材と、を備え、
一方の製品保持部材の可撓性フィルムと他方の製品保持部材の可撓性フィルムとを対向させたその間を製品配設部とした衝撃緩和運搬容器。
【請求項２】
製品押圧片には、その中心部にいずれかの側片と平行な切断部を設け、該切断部より隅部又は／及び側片に向けて適宜本数の切断部を放射状に形成した請求項１に記載の衝撃緩和運搬容器。
【請求項３】
製品押圧片には、その隅部に側片の折れ曲がり部の交差部を頂点とし、その底辺側を直線状、湾曲状、山形状、波形状、鋸歯状等の形状とした製品の隅部を押圧する製品押圧隅片を形成する切断部を設けた請求項１又は２に記載の衝撃緩和運搬容器。
【請求項４】
製品押圧片には、側片との境の折れ曲がり部のほぼ中央部に突出形状の縁片を形成する切断部を設けた請求項１乃至３のいずれか記載の衝撃緩和運搬容器。
【請求項５】
各々の側片の両端部には隅片を形成し、該隅片はその対角線方向に形成した折り曲げ部により分割された一方を糊代片とし、該糊代片を隣接する側片の裏面側に貼着して立ち上がり支持材としてなる請求項１乃至４のいずれか記載の衝撃緩和運搬容器。
【発明の詳細な説明】
【技術分野】
【０００１】
本発明は、パソコン等の薄厚で比較的大きな壊れやすい製品を挟持して運ぶための容器で、その運搬時或いは保管時における外部からの各種衝撃或いは該容器を落下させた時の大きな衝撃から該製品が破損することを防止するための衝撃緩和運搬容器に関するものである。
【背景技術】
【０００２】
従来よりパソコン等の衝撃に弱い製品を容器に梱包して運搬する場合、外部からの各種衝撃や該容器の落下による衝撃から製品を守るためにそれらの衝撃を吸収する緩衝部材を該容器と製品との間に介在させて該製品が破損することを防止している。
【０００３】
上記破損防止手段は、容器と製品との間に緩衝部材を配設する作業或いは該緩衝部材となる材料等が容器以外に必要となり高価なものとなっていた。また、容器の落下等の大きな衝撃を受けると緩衝部材そのものの破損や該緩衝部材の緩衝機能の消失等により製品に損傷を与えていた。更に、それらの緩衝部材は使用後に不用なものとして廃棄されることが多く、環境上の観点からも問題が多かった。
【０００４】
他方、弾力性を有する可撓性シート間に製品を挟持させ、外部からの衝撃が該製品に直接伝わることを防止する容器が存在する。それらのものは中央の開口部に可撓性シートを被覆し、別途同じような容器を用意し、その可撓性シート間に製品を挟持するものであるが、該可撓性シートを保持するフレームが破れたり折れたりし、或いは可撓性シート間に挟持された製品が該製品の側方からの強い衝撃により該可撓性シートとともに移動して容器の内壁に衝突し、該製品に損傷を与えることが生じており、製品を安全に保持することができなかった。
【０００５】
また、製品を保持することのできる強度を得るために、下記する文献のように、容器の側壁を二重にしているが、その側壁を得るのに２枚の紙片を重ね、その重ね状態を保持するためのロック作業等が必要となっており、容器の組み立てに多くの時間を必要としていた。
【先行技術文献】
【特許文献】
【０００６】
【特許文献１】特許第３３０６４０５号公報
【特許文献２】特許第３３５９００１号公報
【発明の概要】
【発明が解決しようとする課題】
【０００７】
本発明は、上記欠点を解決したもので、パソコンのような薄厚で衝撃に弱い製品の運搬或いは保管に際し、該製品を強固に保持し、更に、その運搬時や落下時の衝撃を緩和し或いは外部からの衝撃が製品に伝わることを防止し、且つ製品の収納作業をすばやく行うことのできる衝撃緩和運搬容器に関するものである。
【課題を解決するための手段】
【０００８】
本発明の衝撃緩和運搬容器は、紙片を折り曲げて製品を挟持する衝撃緩和運搬容器であって、立ち上がり支持材を兼ねる周辺部の側片、適宜本数の切断部が形成され該側片によって囲まれ該側片との境の折れ曲がり部を基端として可動自在とした製品押圧片及び該側片に貼着され該製品押圧片表面側全面を非貼着状態で被覆した可撓性フィルムより形成した一方の製品保持部材と、該製品保持部材と同様の構成を有する他方の製品保持部材と、を備え、一方の製品保持部材の可撓性フィルムと他方の製品保持部材の可撓性フィルムとを対向させたその間を製品配設部とした。
【０００９】
また、製品押圧片には、その中心部にいずれかの側片と平行な切断部を設け、該切断部より隅部又は／及び側片に向けて適宜本数の切断部を放射状に形成した。
【００１０】
また、製品押圧片には、その隅部に側片の折れ曲がり部の交差部を頂点とし、その底辺側を直線状、湾曲状、山形状、波形状、鋸歯状等の形状とした製品の隅部を押圧する製品押圧隅片を形成する切断部を設けた。
【００１１】
また、製品押圧片には、側片との境の折れ曲がり部のほぼ中央部に突出形状の縁片を形成する切断部を設けた。
【００１２】
また、各々の側片の両端部には隅片を形成し、該隅片はその対角線方向に形成した折り曲げ部により分割された一方を糊代片とし、該糊代片を隣接する側片の裏面側に貼着して立ち上がり支持材としてなる。
【発明の効果】
【００１３】
本発明は、パソコン等の薄厚で衝撃に弱い製品を十分な弾力性を有する可撓性シート及び弾力性と強度を有する製品押圧片とにより挟持して容器内に保持することができ、運搬時や該容器の落下時等における外部から大きな衝撃が製品に直接伝わることを防止することを可能とした。
【００１４】
また、本発明は、製品の側方からの強い衝撃により該製品が容器内で移動し、容器本体を構成する内壁面に該製品が直接当接して損傷することを防止するため、該製品が移動したときは弾力性に富んだ製品押圧隅片や縁片等の表面に当接するように形成し、この弾力を有する保持により製品の損傷を防ぐことが可能となった。
【００１５】
更に、紙片を組み立てて立体形にする作業に時間を費やすことなく、いずれかの側片を内側に向けて押すだけの瞬時の作業で立体形となる衝撃緩和運搬容器の組み立てを可能とした。
【図面の簡単な説明】
【００１６】
【図１】本発明の製品保持部材上に製品を載置した状態の斜視図を示す。
【図２】同製品保持部材の組み立て前の展開図を示す。
【図３】（ａ）−（ｈ）は製品押圧片のいくつかの実施例の展開図を示す。
【図４】（ｉ）−（ｐ）は製品押圧片のいくつかの実施例の展開図を示す。
【図５】（ｑ）−（ｔ）は製品押圧片のいくつかの実施例の展開図を示す。
【図６】同製品保持部材の積層収納や搬送時の状態を示す一部折り曲げた表面側の平面図を示す。
【図７】同製品保持部材の積層収納や搬送時の状態を示す一部折り曲げた裏面側の平面図を示す。
【図８】同製品保持部材を組み立てて製品を載置した状態を示す平面図を示す。
【図９】同製品保持部材間に製品を配設した状態の衝撃緩和運搬容器の中央部の断面図を示す。
【発明を実施するための形態】
【００１７】
以下、図面を参考に本発明を実施するための最良の形態についてその実施例を説明する。
【実施例１】
【００１８】
図１は、本発明のパソコン等の衝撃に弱い製品Ｗを運搬するための衝撃緩和運搬容器を構成する片方の製品保持部材１に該製品Ｗを配設した状態を示す斜視図、図２は、該製品保持部材１を組み立てる前の状態を示す１実施例の展開図である。
【００１９】
製品保持部材１は、紙製、特に段ボール紙を所定形状に加工し、その紙片の所定箇所を折り曲げ或いは切断し、一部を糊付けして立体形に組み立て形成できるようにしたものである。
【００２０】
紙片をプレス機等により切断及び押圧加工して図２の展開図に示す製品保持部材１を得る。該製品保持部材１は、矩形状の紙片の周辺部を形成する第１〜第４側片２、３、４、５、該第１〜第４側片２〜５の内側に形成される製品押圧片６、該第１〜第４側片２〜５と製品押圧片６との間に形成される第１〜第４縁片７、８、９、１０及び該第１〜第４縁片７〜１０の隅部に形成される第１〜第４製品押圧隅片１１、１２、１３、１４並びに対向する該第１、第４側片或いは第２、第３側片又は該第１〜第４側片２〜５の表面に貼着されて該製品押圧片６を覆う可撓性フィルム１５とより形成されている。
【００２１】
該第１側片２は、長尺の矩形状とし、必要に応じてその内側一側縁部は第１縁片７が折り曲げ部１６を境にして連続形成されている。また、両端部には各々隅片１７、１８が形成され、該隅片１７、１８を分割してその一部は重ね片１７ａ、１８ａとされ、他部は糊代片１７ｂ、１８ｂとして形成されている。該隅片１７、１８の該重ね片１７ａ、１８ａと糊代片１７ｂ、１８ｂとは各々を分割する対角線位置に折り曲げ部１７ｃ、１８ｃを形成し、該折り曲げ部１７ｃ、１８ｃにより折り曲げ自在として連続形成されている。重ね片１７ａ、１８ａは、該折り曲げ部１７ｃ、１８ｃと第１側片２の両端部の折り曲げ部１９、２０及び該隅片１７、１８の外側縁部とによりほぼ三角形状に形成され、該糊代片１７ｂ、１８ｂも同様に三角形状に形成され、その裏面側には接着剤が貼着されることになる。
【００２２】
該糊代片１７ｂ、１８ｂに連続して第２側片３、第３側片４が各々形成され、その境には折り曲げ部２１、２２が形成されている。第２側片３の長手方向となる内側一側縁部には折り曲げ部２３を境にして必要に応じて第２縁片８が連続形成され、同様に、第３側片４には折り曲げ部２４を境にして必要に応じて第３縁片９が連続形成されている。
【００２３】
また、該第２側片３及び第３側片４の他端部側には各々折り曲げ部２５、２６を境にして隅片２７、２８が連続形成され、該隅片２７、２８は重ね片２７ａ、２８ａ及び糊代片２７ｂ、２８ｂとに分割形成されている。該隅片２７、２８にはその両者を端部として第４側片５が連続形成されている。更に、該第４側片５の長手方向の内側一側縁部に折り曲げ部２９を境にして必要に応じて第４縁片１０が連続形成されている。更に、第４側片５の両端部には折り曲げ部３０、３１が各々形成され、上記した隅片２７、２８の糊代片２７ｂ、２８ｂが連続形成されている。上記重ね片２７ａ、２８ａ及び糊代片２７ｂ、２８ｂを分割形成するために該隅片２７、２８の対角線位置に折り曲げ部２７ｃ、２８ｃが各々形成されている。
【００２４】
上記第１側片２、第２側片３の該折り曲げ部１６、２３の両端部から所定の間隔を有する内側位置を基端とし、折り曲げ部１６、２３の交差部を頂点３２とするほぼ三角形状の底辺部となる第１切断部３３が必要に応じて形成され、他方端部も同様に、折り曲げ部１６、２４の端部から所定の間隔を有する内側位置を基端として折り曲げ部１６、２４の交差部を頂点３４とするほぼ三角形状の底辺部となる第２切断部３５が形成されている。なお、該第１、第２切断部３３、３５は緩やかな湾曲線とすることにより可撓性フィルム１５の破損防止や振動や衝撃によって加わる力を分散させることを可能としている。
【００２５】
また、第２側片３及び第３側片４も上記同様、その各々の折り曲げ部２３、２９及び２４、２９の端部から所定の間隔を有する内側位置を基端として折り曲げ部２３、２９の交差部を頂点３６とするほぼ三角形状の底辺部となる第３切断部３７及び折り曲げ部２４、２９の交差部を頂点３８とするほぼ三角形状の底辺部となる第４切断部３９が形成されている。上記第１〜第４切断部３３、３５、３７、３９の切断形状は、直線状、湾曲状、山形状、波形状、鋸歯状等の適宜な形状とすることができる。
【００２６】
上記により製品押圧片６の各隅部には第１〜第４製品押圧隅片１１〜１４が各々形成されることになる。
【００２７】
上記第１〜第４製品押圧隅片１１〜１４は、製品押圧片６に作用する押圧力が製品保持部材１の隅部に集中して該製品保持部材１が破損することを防止すると同時に、製品Ｗの隅部と当接する位置或いは該製品Ｗの移動等により接する位置に形成されることにより、該第１〜第４製品押圧隅片１１〜１４の表面により製品Ｗの隅部を弾力的に押圧支持することが可能となる。また、上記第１〜第４縁片７〜１０も製品Ｗの側部等がそのまま或いは移動によって接することになれば、該製品Ｗを弾力的に押圧支持することが可能となる。
【００２８】
上記製品押圧片６は、可撓性フィルム１５の背面側に該可撓性フィルム１５とは非貼着状態で位置し、製品を弾力的に且つ強固に支持するためのものであるが、当該弾力性と強度とを兼ね備えるための実施態様には様々なものが考えられる。
【００２９】
図３は、該製品押圧片６に対して可動させる手段としてのいくつかの実施態様を示すものである。図３（ａ）は、製品押圧片６における切断部を中心部より隅部或いは側片に向けて放射状に適宜本数形成したものである。これにより図の表裏方向に製品押圧片６が可動することを可能としている。
【００３０】
図３（ｂ）、（ｃ）は、側片２〜５のほぼ中央部より対向する他の側片２〜５のほぼ中央部との間或いはそれに平行して適宜本数の切断部を十字状又は串刺し状に形成したものである。
【００３１】
図３（ｄ）は、中央部にいずれかの側片２〜５と平行な切断部を設け、該切断部より隅部又は／及び側片２〜５に向けて放射状に切断部を形成したものである。
【００３２】
図３（ｅ）、（ｆ）は、ほぼ対角線方向に沿って適宜本数の切断部を形成したものである。
【００３３】
図３（ｇ）は、円形或いは楕円形に沿って適宜本数の断続的な切断部を形成したものである。
【００３４】
図３（ｈ）、図４（ｉ）、（ｊ）は、隅部に側片の折れ曲がり部の交差部を頂点とし、その底辺側を直線状、湾曲状、山形状、波形状、鋸歯状等の形状をした製品押圧隅片１１〜１４を形成し、その各々を上記した図３（ａ）乃至（ｇ）等の実施例のものに採用した形状のものである。
【００３５】
図４（ｋ）は、側片２〜５との境の折れ曲がり部のほぼ中央部にある程度の幅を有した突出形状の縁片７〜１０を形成する切断部を設けたものである。縁片７〜１０の先端となる該切断部は、可撓性フィルム１５に損傷を与えないように湾曲状に形成することが望ましい。
【００３６】
図４（ｌ）は、側片２〜５との境の折れ曲がり部とほぼ平行に適宜本数の折り目又は折り目と該折り目とは異なる方向の切断部を形成したものである。
【００３７】
図４（ｍ）は、ほぼ対角線方向に適宜本数の折り目又は折り目と該折り目とは異なる方向の切断部を形成したものである。
【００３８】
図４（ｎ）は、円形或いは楕円形の適宜本数の折り目又は折り目と該折り目とは異なる方向の切断部を形成したものである。
【００３９】
図４（ｏ）は、円形或いは楕円形の折り目に沿って断続的に切断部を形成したものである。折り目は、側片２〜５と平行なもの或いは斜め方向のもの等様々な態様のものが考えられる。
【００４０】
図４（ｐ）、図５（ｑ）は、製品押圧片６の適宜箇所に敵数個の貫通孔４０を形成したものである。
【００４１】
図５（ｒ）、（ｓ）、（ｔ）は、様々な態様の切断部及び／又は折り目に沿って或いは切断部及び／又は折り目間に適数個の貫通孔４０を形成したものである。
【００４２】
上記貫通孔４０を設けることにより、製品押圧片６の弾力性を増加させると同時に、製品を収納した後、当該収納した製品がどのようなものなのかを貫通孔４０より可視することが可能となる。
【００４３】
上記製品押圧片６の表面側全面には対向する第１、第４側片２、５或いは第２、第３側片３、４を含めその端部側を貼着して可撓性フィルム１５を被覆する。該可撓性フィルム１５は、伸縮性及び反覆性に優れ、破れや裂けが生じない耐久性に優れたものが使用される。
【００４４】
上記状態の紙片を第４図の表面側平面図及び第５図の裏面図で示すように、第２図の展開図のものを第１、第４側片２、５を折り曲げ部１６、２９を境にして製品押圧片６の裏面側に位置するように１８０度折り返し、該側片２、５の両端部に形成した隅片１７、１８、２７、２８の糊代片１７ｂ、１８ｂ、２７ｂ、２８ｂの裏面側に形成された貼着層を隣接する第２、第３側片３、４の裏面側に貼着する。図６、５の点で示す端部の三角形状部分が第２、第３側片３、４に貼着されることになる。
【００４５】
上記のように、製品保持部材１は隅部の一部が貼着され、図６、５に示す第１、第４側片２、５及び隅片１７、１８、２７、２８が第２、第３側片３、４及び第１、第４縁片７、１０に重なった偏平状の状態で製品Ｗを収納する位置まで運ばれることになる。偏平状のため効率的に重ねて運搬することが可能となる。
【００４６】
製品Ｗを収納するときは、隅片１７、１８、２７、２８の重ね片１７ａ、１８ａ、２７ａ、２８ａが対角線位置に形成した折り曲げ部１７ｃ、１８ｃ、２７ｃ、２８ｃより折り曲げ自在に形成されているので、図６のＡ−Ａ方向に側片３、４を押圧すると、側片２、５は折り曲げ部１６、２９を境にして製品押圧片６より離れる方向に移動し、同時に、折り曲げ部１９、２０及び３０、３１も移動し、それにより重ね片１７ａの表面と糊代片１７ｂの表面とが接する位置まで移動して重なることになる。重ね片１８ａと糊代片１８ｂ、重ね片２７ａと糊代片２７ｂ及び重ね片２８ａと糊代片２８ｂも同様に重なり、第１〜第４側片２〜５が製品押圧片６に対してほぼ直角方向へ移動し、図１に示す立体形の製品保持部材１が形成されることになる。
【００４７】
図１、６に示すように、製品保持部材１を立体形にした状態で可撓性フィルム１５上に製品Ｗを載置することになる。
【００４８】
上記によって形成された製品保持部材１と同じものを別途用意し、図９に示すように、製品Ｗの載置された製品保持部材１の上に別途製品保持部材１´を重ね、可撓性フィルム１５、１５´及び製品押圧片６、６´により該製品Ｗを挟持するようにして保持することになる。
【００４９】
可撓性フィルム１５、１５´及び製品押圧片６、６´により保持された製品Ｗは、その側部側は内側へ突出した対向する突出縁片８、８´、９、９´の元に戻ろうとする力により可撓性フィルム１５、１５´が押し上げられ、該製品Ｗを強く挟持することになる。また、製品Ｗが衝撃等により移動すると縁片８、８´、９、９´の先端側に接し、その面により該製品Ｗを当接保持することになるので外部から更なる振動や衝撃が加わってもその力を該縁片８、８´、９、９´により受けることができ、且つ力が集中的に作用しないので該製品Ｗ並びに可撓性フィルム１５、１５´及び該縁片８、８´、９、９´の破損を防止することができる。製品Ｗが突出縁片８、８´、９、９´の先端側に載置されても同様の効果を達成することができる。
【００５０】
また、第１〜第４製品押圧隅片１１〜１４も上記同様、可撓性フィルム１５、１５´及び製品Ｗを押圧し、製品Ｗが移動すると製品Ｗの隅部が各々該第１〜第４製品押圧隅片１１〜１４の表面に当接し、押圧した状態になり、更なる製品Ｗの移動を防止することができる。また、第１〜第４製品押圧隅片１１〜１４の先端側に製品Ｗが載置されても同様の効果が得られることは上記と同様である。
【００５１】
上記状態で製品Ｗを挟持した製品保持部材１、１´が収納された別途容器本体が落下した場合、製品Ｗの表裏面方向での落下の場合は可撓性フィルム１５、１５´及び製品押圧片６、６´の他に主として第１〜第４側片２〜５が強く働いて製品Ｗを保護することになり、製品Ｗの側面方向に落下した場合には、主として第１〜第４縁片７〜１０及び第１〜第４製品押圧隅片１１〜１４が強く保持することになり、更に、隅部方向への落下の場合は、主として該第１〜第４製品押圧隅片１１〜１４が該製品Ｗの隅部を強く保持することになり、どのような方向での衝撃や落下に対しても該製品Ｗを強く保持することが可能となる。
【００５２】
上記実施形態によれば、以下の構成とすることもできる。
本実施形態は、紙片を折り曲げて製品を挟持する衝撃緩和運搬容器において、立ち上がり支持材を兼ねる周辺部の側片、該側片によって囲まれ該側片との境の折れ曲がり部を基端として可動自在とした製品押圧片、該側片に貼着され該製品押圧片表面側全面を非貼着状態で被覆した可撓性フィルムとより形成した一方の製品保持部材と、該製品保持部材と同様の構成を有する他方の製品保持部材とよりなり、それら双方の可撓性フィルムを対向させたその間を製品配設部とした衝撃緩和運搬容器を特徴とする。
【００５３】
また、製品押圧片は、中心部より隅部或いは側片に向けて適宜本数の切断部を放射状に形成した衝撃緩和運搬容器を特徴とする。
【００５４】
更に、製品押圧片は、側片のほぼ中央部より対向する他の側片のほぼ中央部との間或いはそれらに平行して適宜本数の切断部を十字状或いは串刺し状に形成した衝撃緩和運搬容器を特徴とする。
【００５５】
また、製品押圧片は、その中心部にいずれかの側片と平行な切断部を設け、該切断部より隅部又は／及び側片に向けて適宜本数の切断部を放射状に形成した衝撃緩和運搬容器を特徴とする。
【００５６】
更に、製品押圧片は、ほぼ対角線方向に沿って適宜本数の切断部を形成した衝撃緩和運搬容器を特徴とする。
【００５７】
また、製品押圧片は、円形或いは楕円形に沿って適宜本数の断続的な切断部を形成した衝撃緩和運搬容器を特徴とする。
【００５８】
更に、製品押圧片は、その隅部に側片の折れ曲がり部の交差部を頂点とし、その底辺側を直線状、湾曲状、山形状、波形状、鋸歯状等の形状とした製品の隅部を押圧する製品押圧隅片を形成する切断部を設けた衝撃緩和運搬容器を特徴とする。
【００５９】
また、製品押圧片は、側片との境の折れ曲がり部のほぼ中央部にある程度の幅を有した突出形状の縁片を形成する切断部を設けた衝撃緩和運搬容器を特徴とする。
【００６０】
更に、製品押圧片は、側片との境の折れ曲がり部とほぼ平行に適宜本数の折り目又は折り目と該折り目とは異なる方向の切断部を形成してなる衝撃緩和運搬容器を特徴とする。
【００６１】
また、製品押圧片は、ほぼ対角線方向に適宜本数の折り目又は折り目と該折り目とは異なる方向の切断部を形成してなる衝撃緩和運搬容器を特徴とする。
【００６２】
更に、製品押圧片は、円形或いは楕円形の適宜本数の折り目又は折り目と該折り目とは異なる方向の切断部を形成してなる衝撃緩和運搬容器を特徴とする。
【００６３】
また、製品押圧片は、折り目に沿って断続的に切断部を設けた衝撃緩和運搬容器を特徴とする。
【００６４】
更に、製品押圧片は、適宜箇所に適数個の貫通孔を形成した衝撃緩和運搬容器を特徴とする。
【００６５】
また、貫通孔は、切断部及び／又は折り目に沿って或いはその間に形成した衝撃緩和運搬容器を特徴とする。
【００６６】
更に、製品押圧隅片は、その隣接する製品押圧隅片間の間隔を収納する製品に接するか或いは近接する位置に形成し、少なくとも該製品が移動したときに該製品の隅部が該製品押圧隅片の表面に当接するように構成してなる衝撃緩和運搬容器を特徴とする。
【００６７】
また、縁片は、対向する縁片間の間隔を収納する製品に接するか或いは近接する位置に形成し、少なくとも該製品が移動したときに該製品が該縁片の表面に当接するように構成してなる衝撃緩和運搬容器を特徴とする。
【００６８】
更に、各々の側片の両端部には隅片を形成し、該隅片はその対角線方向に形成した折り曲げ部により分割された一方を糊代片とし、該糊代片を隣接する側片の裏面側に貼着して立ち上がり支持材としてなる衝撃緩和運搬容器を特徴とする。
【符号の説明】
【００６９】
１、１’  製品保持部材
２、３、４、５  第１〜第４側片
６、６’  製品押圧片
７、８、８’、９、９’、１０  第１〜第４縁片
１１、１２、１３、１４  第１〜第４製品押圧隅片
１５、１５’  可撓性フィルム
１６、２３、２４、２９  折り曲げ部
１７、１８、２７、２８  隅片
１７ａ、１８ａ、２７ａ、２８ａ  重ね片
１７ｂ、１８ｂ、２７ｂ、２８ｂ  糊代片
１７ｃ、１８ｃ、２７ｃ、２８ｃ  折り曲げ部
１９、２０、２１、２２、２５、２６、３０、３１  折り曲げ部
３２、３３、３４、３５、３６、３７、３８、３９  第１〜第８切断部
４０  貫通孔
【図１】
2011184107.tif 000003
【図２】
2011184107.tif 000004
【図３】
2011184107.tif 000005
【図４】
2011184107.tif 000006
【図５】
2011184107.tif 000007
【図６】
2011184107.tif 000008
【図７】
2011184107.tif 000009
【図８】
2011184107.tif 000010
【図９】
2011184107.tif 000011